(57)【特許請求の範囲】
【請求項１】
サイドドライブ型で駆動されるロータリ耕耘軸の草巻付き防止装置において、耕耘爪軸（２）の軸上に配列して設けた複数の爪ホルダ（１９，１９．．．）に耕耘爪（１）を取付け、前記耕耘爪軸（２）の両端部に、耕耘爪（１）の掘削時回転半径に対し、半径で略５ｃｍ程度、小さい小径から大きい大径までの範囲内の径とした回転円板（５，５）を夫れ夫れ配設し、回転円板（５）は一端の最外側の耕耘爪（１）側と耕耘爪軸（２）を回転駆動する伝動ケース（４）との間を隔離するように配設し、回転円板（５）は他端の最外側の耕耘爪（１）側と支持機枠（８）との間を隔離するように配設し、回転円板（５，５）は１８０度に２等分可能に構成にすると共に、回転円板（５，５）の外周縁部を、背面視で先端側をＶ字状に尖らせた刃部（５ｂ）で構成し、回転円板（５，５）の外周縁部から所定間隔小径とした立壁面に回転円板（５，５）の寿命ラインを示す凹溝（５ｃ）を点状または連続状に設ける構成とし、前記回転円板（５，５）の半径方向中間部分間にロッド（３２）やワイヤー等の線材を最大４本取付け可能に構成し、さらに、回転円板（５，５）の立壁の半径方向中間部分から夫れ夫れ外方の伝動ケース（４）と支持機枠（８）に向かって円筒状の覆い体（３６）を一体的に設け、該覆い体（３６）で前記耕耘爪軸（２）の両端部の取付板（１３，１３）と、耕耘爪軸（２）に動力伝達する伝動ケース（４）側駆動軸（１０）の取付フランジ（１４）と、前記伝動ケース（４）の反対側であって耕耘爪軸（２）を支持する支持機枠（８）側支持軸（１６）の取付フランジ（１７）との外周囲を覆う構成としたことを特徴とするロ−タリ耕耘軸の草巻付き防止装置。
【発明の詳細な説明】
【０００１】
【発明の属する技術分野】
本発明は、ロ−タリ耕耘軸の草巻付き防止装置に関するもので、農業機械の技術分野に属する。
【０００２】
【従来の技術】
従来からロ−タリ耕耘機は、耕耘作業に伴って、圃場に残っている長稈の草類やイグサ等が耕耘爪の取付部や耕耘爪軸に巻き付くのを未然に防止する手段が考案され、実用化への試みがある。公知技術の一例を述べると、耕耘爪軸に配列して取り付けられている左右両端部の耕耘爪の間に、巻付き防止部材として線状部材を耕耘爪軸と平行に張り渡して構成したものがある。そして、上記巻付き防止部材は、耕耘作業に際して耕耘爪軸から外方に隔たった位置で、その耕耘爪軸の外周を平行を保って回転しながら巻き付こうとする草を排除して、巻き付きを防止する構成になっている。
【０００３】
【発明が解決しようとする課題】
上述した巻付き防止手段は、耕耘爪軸への草の巻付きはほとんど発生しないが、耕耘爪軸の軸端から軸受部材側（伝動ケ−ス等）への巻付きが発生し、極端な場合には軸受部材のシール部から油漏れが起きるなどの課題がある。
【０００４】
【課題を解決するための手段】
本発明は、上述した課題を解決するために、次の如き技術手段を講ずるものである。すなわち、サイドドライブ型で駆動されるロータリ耕耘軸の草巻付き防止装置において、耕耘爪軸２の軸上に配列して設けた複数の爪ホルダ１９，１９．．．に耕耘爪１を取付け、前記耕耘爪軸２の両端部に、耕耘爪１の掘削時回転半径に対し、半径で略５ｃｍ程度、小さい小径から大きい大径までの範囲内の径とした回転円板５，５を夫れ夫れ配設し、回転円板５は一端の最外側の耕耘爪１側と耕耘爪軸２を回転駆動する伝動ケース４との間を隔離するように配設し、回転円板５は他端の最外側の耕耘爪１側と支持機枠８との間を隔離するように配設し、回転円板５，５は１８０度に２等分可能に構成にすると共に、回転円板５，５の外周縁部を、背面視で先端側をＶ字状に尖らせた刃部５ｂで構成し、回転円板５，５の外周縁部から所定間隔小径とした立壁面に回転円板５，５の寿命ラインを示す凹溝５ｃを点状または連続状に設ける構成とし、前記回転円板５，５の半径方向中間部分間にロッド３２やワイヤー等の線材を最大４本取付け可能に構成し、さらに、回転円板５，５の立壁の半径方向中間部分から夫れ夫れ外方の伝動ケース４と支持機枠８に向かって円筒状の覆い体３６を一体的に設け、該覆い体３６で前記耕耘爪軸２の両端部の取付板１３，１３と、耕耘爪軸２に動力伝達する伝動ケース４側駆動軸１０の取付フランジ１４と、前記伝動ケース４の反対側であって耕耘爪軸２を支持する支持機枠８側支持軸１６の取付フランジ１７との外周囲を覆う構成としたことを特徴とするロ−タリ耕耘軸の草巻付き防止装置としたものである。
【０００５】
【発明の実施の形態】
以下、本発明の実施の形態を図面に基づいて具体的に説明する。
まず、上部伝動機枠６は、図１に示すように、左右方向中央部に中央伝動ケース２１を配設し、移動農機のＰＴＯ軸と接続する入力軸２２に原動側の駆動力を伝動し、この駆動力を上部伝動機枠６に内装した伝動軸７に傘歯車２３，２４を介して伝えている。上部伝動機枠６の一方側に伝動ケ−ス４を連結し、他方側に支持機枠８を連結してそれぞれ垂下状態にして構成し、垂下下端部間に耕耘爪軸２を配設している。そして、伝動ケ−ス４には、図１に示すように、上部を前述した伝動軸７の突出端に取り付けた上部スプロケット９に係合し、下部を駆動軸１０に軸着取り付けした下部スプロケット１１に掛け渡して内装した伝動チエン１２との３者で構成した伝動装置３を内装した構成としている。
【０００６】
そして、耕耘爪軸２は、図１に示すように、一方の端部を、回転円板５と取付板１３とを重ね合わせて駆動軸１０の取付フランジ１４に、ボルト１５によって着脱自由に締め付けて固着し、他方の端部を、同じように回転円板５と取付板１３とを重ね合わせてボルト１５によって支持軸１６の取付フランジ１７に着脱自由に締め付けて固着している。図２の回転円板５において、２６は取付孔であって前述したボルト１５を通し、２７は開口であって耕耘爪軸２が通過する。また、取付孔２６より径大の立壁部には、草巻き付き防止用のロッドやワイヤーの端部を取り付ける取付孔３１，３１．．を開口しており、外周縁部は刃部５ｂとして切断刃縁としている。実施例の回転円板５の構成では、回転円板５の後付けが面倒なので、図示しないが回転円板５を１８０度に２等分しておくと着脱が容易である。
【０００７】
そして、耕耘爪軸２は、軸上に配列して設けた複数の爪ホルダ１９，１９．．に耕耘爪１，１．．．を取り付けて耕耘装置２０を構成している。
そして、回転円板５は、図例では図１に示すように、耕耘爪１の掘削時回転半径と略同等の半径に形成された平板円形状真円の円板であり、一端最外側の耕耘爪１側と伝動ケ−ス４側間および他端最外側の耕耘爪１側と支持機枠８側との間で、これらを隔離する構成としている。また、後述の作用で詳述するが回転円板５の外径は、耕耘爪１の掘削時回転半径に対し、半径で略５ｃｍ程度、小さい小径から大きい大径までの略同径とすれば、同様の目的と効果を奏する。
【０００８】
次に、図例の回転円板５について、以下説明する。
図３で示すものは、回転円板５の外周縁を側面視で同一半径の真円としたもので、外周端縁部は薄肉状の平板であるから、９０度に切り落すプレス型での打ち抜き切断端面としている。図２側面図で示すものは、前述のように回転円板５の外周縁を真円としたもので、外周端縁部を背面視で「Ｖ」字状に先端を尖らせた刃部５ｂとしており、地表面とこの刃部５ｂ間で草，藁，イグサ等の長稈を切断可能としている。
【０００９】
図４で示すものは、回転円板５の外周端縁部に、側面視で略５ｍｍ程度の浅い凹凸刃５ａを設けたものである。図示しないが刃の形状としては他に、ノコ刃状のものも考えられる。要は、回転円板５が耕耘爪軸２の駆動により同回転数で回転するが、その回転中に回転円板５の外周縁に、草，藁，イグサ等の長稈が巻きつかずに、跳ね出されたり切断分離される形状としておれば、平坦縁部から小さな凹凸のある縁部まで何でもよい。
【００１０】
図５は、図１で示す回転円板５の別構成図例であって、回転円板５の外周縁部を９０度に切り落とした打ち抜き端面とし、外周縁部から所定間隔小径とした立壁面に凹溝５ｃを点状または連続状に設けている。点状の溝はプレス時に打刻すればよく、連続溝は旋盤加工等で行なえばよい。また、この凹溝５ｃは、消耗品である回転円板５の寿命ラインを示すもので、この凹溝５ｃまで回転円板５の外周縁部が摩耗したら、初期の長稈押圧又は切断等の性能が引き出せず、交換や修理を要することを作業者に知らせるものである。
【００１１】
なお、図１に示す耕耘装置２０は、サイドドライブ型を実施例にして説明したが、センタ−ドライブ型の耕耘装置でも、伝動ケ−スと耕耘爪との間に回転円板５を設けることによって、同一の作用・効果を発揮することができる。
以上のように構成された耕耘装置２０は、機体側から伝動軸７に回転動力を伝動すると、耕耘爪軸２が、上部スプロケット９、伝動チエン１２、下部スプロケット１１、駆動軸１０、取付フランジ１４、取付板１３、回転円板５の順に伝動され、耕耘爪１を駆動して耕耘作業を開始する。
【００１２】
すると、耕耘爪１，１．．は、回転に伴って圃場の土壌を反転しながら進み、耕耘作業を行なうが、そのとき、生えている草や収穫後の圃場に残っている比較的長い稈などが、引っ掛かって持ち回りながら回転する。回転円板５が無い場合は、その際に、耕耘爪１，１．．によりロータリ耕耘部の幅外に散乱した草や藁やイグサ等の長稈は、耕耘爪軸２側に引き寄せられるから、引き寄せ途中で長稈は、伝動ケ−ス４側駆動軸１０の取付フランジ１４廻り、および支持機枠８側支持軸１６の取付フランジ１７廻りに侵入しようとする。しかし耕耘爪軸２左右端に取り付けられた回転円板５，５によって、圃場の掘削土表面でロータリ耕耘部の幅外からロータリ耕耘部幅内に散乱した草や藁やイグサ等の長稈は、回転円板５により実体部を表土に押圧されて、その耕耘幅内方への引き込み移動を規制されたり、押圧部分で切断されたり、引かれる時径大方向に広げ案内されるから、長稈は一部が耕耘爪軸２側に無理矢理引かれて巻き付くことになったり、一部は短くなって幅外の地表に残ったり、一部は振り飛ばされるように離れたりする。
【００１３】
このように、草や藁やイグサ等の長稈を回転円板５の外周端縁で押圧または押圧切断または案内しているので、長稈等は耕耘爪１，１．．に引っ張られて耕耘爪軸２中間部に巻き付くことはあっても、伝動ケ−ス４側および支持機枠８側の耕耘爪軸２取付端近傍部に侵入することはない。回転円板５の外径が耕耘爪１より大きくなるにつれ長稈の押圧または押圧切断の機能が向上し、回転円板５の外径が小さくなるにつれ長稈を耕耘爪１，１．．方向へ横方向案内する機能が向上する。
【００１４】
以上のように、本発明は、耕耘爪軸２取付端部に草や藁やイグサ等の長稈の侵入がほとんどないから、従来のように、巻き付いた長稈のために、伝動ケ−ス４や支持機枠８の軸受部分のシール３０が油漏れするまで発展する故障がない特徴を有する。
以下、さらに別の構成例について説明する。
【００１５】
図６で示す回転円板５には、図２で示すように立壁に取付孔３１を４個所開口して設け、左右の回転円板５，５の取付孔３１，３１間に図６で示すように、ロッド３２やワイヤー等の線材を最大４本取付可能としている。ロッド３２やワイヤー等の両端部にはネジ部が設けられ、ここにナット３３，３３を立壁の内方と外方の２面から締め付けている。この構成により、該ロッド３２やワイヤー等が耕耘軸２と同回転数で回転し、耕耘爪軸２に巻きつこうとする草，藁，イグサ等を該ロッド３２やワイヤー等で振り飛ばしたり、巻きついても空間部を大きくして取外し易くしている。また、立壁の半径方向中間部分にロッド３２を取り付けた場合は、回転円板５の左右方向の倒れに対する補強効果も互いに高めている。
【００１６】
図７で示すものは、回転円板５の立壁の半径方向中間部分から夫々外方の伝動ケース４や支持機枠８に向かって円筒状の覆い体３６を突設して、耕耘爪軸２の両端部の取付板１３，１３や、駆動軸１０の取付フランジ１４や支持軸１６の取付フランジ１７外周囲を保護している。これにより、一方側の耕耘爪軸２の取付板１３と駆動軸１０の取付フランジ１４や、他方側の耕耘爪軸２の取付板１３と支持軸１６の取付フランジ１７外方廻りへの、草，藁，イグサ等の進入を規制し回転部廻りの耐久性向上を図っている。
【００１７】
【発明の効果】
本発明は、以上のように構成したものであるから、耕耘爪軸の軸端部分や軸受部材側（伝動ケ−スや支持部材）への草の巻き付きを未然に防止できる効果を有するものである。
特に、耕耘爪軸２の両端部に、耕耘爪１の掘削時回転半径に対し、半径で略５ｃｍ程度、小さい小径から大きい大径までの範囲内の径とした回転円板５，５を夫れ夫れ配設しているので、状況に応じて回転円板５，５の外径を耕耘爪１より大きくすると、長稈の押圧または押圧切断の機能が向上するようになる。また、回転円板５，５の外径を小さくすると、長稈を耕耘爪１，１．．方向の横方向へ案内する機能が向上するようになる。
また、回転円板５，５は１８０度に２等分可能に構成しているので、回転円板５，５の着脱が容易となる。
また、回転円板５，５の外周縁部を、背面視で先端側をＶ字状に尖らせた刃部５ｂで構成しているので、地表面と刃部５ｂ間で長稈の切断が容易となる。
また、回転円板５，５の外周縁部から所定間隔小径とした立壁面に回転円板５，５の寿命ラインを示す凹溝５ｃを点状または連続状に設ける構成としているので、作業者は交換や修理の時期を容易に知ることができるようになる。
また、回転円板５，５の半径方向中間部分間にロッド３２やワイヤー等の線材を１本から４本の範囲内で取付け可能に構成しているので、ロッド３２やワイヤー等が耕耘軸２と同回転数で回転し、耕耘爪軸２に巻きつこうとする草，藁，イグサ等をロッド３２やワイヤー等で振り飛ばしたり、巻きついても空間部を大きくして取外し易くなる。そして、立壁の半径方向中間部分にロッド３２を取り付けているので、回転円板５，５自体の左右方向の倒れに対する補強効果も向上するようになる。
また、回転円板５，５の立壁の半径方向中間部分から夫れ夫れ外方の伝動ケース４と支持機枠８に向かって円筒状の覆い体３６を一体的に設け、覆い体３６で耕耘爪軸２の両端部の取付板１３，１３と、耕耘爪軸２に動力伝達する伝動ケース４側駆動軸１０の取付フランジ１４と、伝動ケース４の反対側であって耕耘爪軸２を支持する支持機枠８側支持軸１６の取付フランジ１７との外周囲を覆う構成としているので、耕耘爪軸２の両端部の取付板１３，１３、駆動軸１０の取付フランジ１４、及び支持軸１６の取付フランジ１７の外方廻りへの、草，藁，イグサ等の進入が規制され、回転部廻りの耐久性向上となる。
【図面の簡単な説明】
【図１】  本発明の実施例であって、一部破断した全体背面図である。
【図２】  本発明の実施例であって、要部部材の側面図である。
【図３】  本発明の別実施例であって、要部部材の側面図である。
【図４】  本発明の別実施例であって、要部部材の側面図である。
【図５】  本発明の別実施例であって、要部部材の側面図である。
【図６】  本発明の別実施例であって、一部破断した全体背面図である。
【図７】  本発明の別実施例であって、一部破断した全体背面図である。
【符号の説明】
１    耕耘爪
２    耕耘爪軸
３    伝動装置
４    伝動ケ−ス
５    回転円板
５ｂ  刃部
５ｃ  凹溝
８    支持機枠
１０    駆動軸
１３    取付板
１４    取付フランジ
１６    支持軸
１７    取付フランジ
１９    爪ホルダ
３２    ロッド
３６    覆い体
【図１】
0004055299.tif 000002
【図２】
0004055299.tif 000003
【図３】
0004055299.tif 000004
【図４】
0004055299.tif 000005
【図５】
0004055299.tif 000006
【図６】
0004055299.tif 000007
【図７】
0004055299.tif 000008